(57)【要約】【課題】被測定圧の圧力表示を視認可能な圧力計本体に対する首振りや回転が可能な圧力計を提供する。【解決手段】被測定圧の圧力表示を視認可能な圧力計本体２に対して、被測定圧が内部に導入される筒状の圧力導入部６が圧力導入口２１に挿入されていて回転可能に構成されており、首振りが可能となっている。また、この圧力計本体２に対して、周方向に回転可能な回転蓋１１が回転可能に構成されており、回転蓋１１に取り付けられた基板１０上の液晶表示器１００とともに回転が可能となっている。【選択図】図１
2015052620.tif 000002
【特許請求の範囲】
【請求項１】
被測定圧の圧力表示を視認可能な圧力計本体と、
前記圧力計本体に突出して設けられた筒状の圧力導入口と、
前記圧力導入口に挿入され、被測定圧が内部に導入される筒状の圧力導入部と、
を備え、
前記圧力導入部は、前記圧力計本体に対して回転が可能であって、
前記圧力導入部は、
円周方向に凹状の溝が、頂部に回転軸とは垂直な規制部材が、それぞれ形成された挿入部と、
前記挿入部と連通した導入部と、
前記挿入部と前記導入部との間に位置し、回転軸とは垂直に突出した六角部と、
を有し、
前記規制部材及び前記六角部と前記圧力導入口とが当接しており、
前記溝に摺動部材が嵌め込まれた状態において、前記摺動部材が前記圧力導入口の内周面を摺動することによって、前記圧力計本体に対しての回転を可能とする一方、前記規制部材と前記圧力計本体に設けられた凸条とが係止されることによって前記回転を規制することを特徴とする圧力計。
【発明の詳細な説明】
【技術分野】
【０００１】
本発明は圧力計に関し、特に、圧力計本体に対する首振り機構や回転機構を備えた圧力計に関する。
【背景技術】
【０００２】
従来より、取付用配管に圧力計をねじ込んで固定して、取付用配管から導入される被測定圧の圧力を測定表示する圧力計が存在する。この種の圧力計によって測定圧力の表示を視認する場合、取付用配管と圧力計との取付の位置関係から、視認容易なように圧力計の向きを変更する必要も生ずるが、圧力計は取付用配管に強固にねじ込まれて固定するため、その向きの変更は容易ではない。
【０００３】
そのため、特許文献１に記載の圧力計では、圧力計本体の相反する二面（表面、裏面）に圧力表示を行う表示部を有することで、圧力計本体の表裏いずれの面においても圧力表示を視認できるようにしている（図５参照）。
【０００４】
【特許文献１】特開２００４−１７７３５５号公報（段落［０００８］、図１）
【発明の開示】
【発明が解決しようとする課題】
【０００５】
しかしながら、表裏いずれの面においても圧力表示を視認できる圧力計においても、表面のみで圧力表示を視認できる圧力計に比べれば視認できる範囲は広がったものの、取付用配管と圧力計との取付の位置関係は１８０度ごとの二者択一ではないので、測定環境によっては、従来の圧力計では視認が困難で、さらなる向きの変更を要する場合がある。
【０００６】
本発明は、このような点に鑑みてなされたものであり、その目的は、被測定圧の圧力表示を視認可能な圧力計本体に対する首振りや回転が可能な圧力計を提供することにある。
【課題を解決するための手段】
【０００７】
以上の課題を解決するために、本発明の圧力計は、被測定圧の圧力表示を視認可能な圧力計本体に対して、被測定圧が内部に導入される筒状の圧力導入部が回転可能に構成されており、首振りが可能となっている。また、この圧力計本体に対して、周方向に回転可能な回転蓋が回転可能に構成されており、回転が可能となっている。
【０００８】
より具体的には、本発明は、以下のものを提供する。
【０００９】
（１）  被測定圧の圧力表示を視認可能な圧力計本体と、前記圧力計本体に突出して設けられた筒状の圧力導入口と、前記圧力導入口に挿入され、被測定圧が内部に導入される筒状の圧力導入部と、を備え、前記圧力導入部は、前記圧力計本体に対して回転が可能であって、前記圧力導入部は、円周方向に凹状の溝が、頂部に回転軸とは垂直な規制部材が、それぞれ形成された挿入部と、前記挿入部と連通した導入部と、前記挿入部と前記導入部との間に位置し、回転軸とは垂直に突出した六角部と、を有し、前記規制部材及び前記六角部と前記圧力導入口とが当接しており、前記溝に摺動部材が嵌め込まれた状態において、前記摺動部材が前記圧力導入口の内周面を摺動することによって、前記圧力計本体に対しての回転を可能とする一方、前記規制部材と前記圧力計本体に設けられた凸条とが係止されることによって前記回転を規制することを特徴とする圧力計。
【００１０】
本発明によれば、圧力計本体に設けられた圧力導入口と圧力導入口に挿入される圧力導入部との二重構造によって、圧力導入部と圧力計本体（圧力計本体に設けられた圧力導入口）との相対的位置関係を変化させることができることから、圧力導入口を首に見掛けた圧力計本体の首振りが可能となり、視認に適した角度からの圧力表示の確認が容易となる。
【００１１】
また、本発明によれば、圧力導入部に規制部材を形成して、回転角度を０度から３６０度未満の範囲内に規制することで、圧力計本体に対する回転を無制限にすることによる弊害を防止することができる。
【００１２】
また、本発明は、被測定圧が内部に導入される筒状の圧力導入部が挿入され、被測定圧の圧力表示を視認可能な圧力計本体と、周方向に回転可能で、表示器を搭載した基板が取り付けられた回転蓋と、一方の面が前記圧力計本体に係止して設けられ、他方の面が前記回転蓋に係合して設けられる係止体と、を備え、前記圧力導入部の回転軸と前記回転蓋の回転軸とは略垂交しており、前記回転蓋は、前記圧力計本体に対して回転が可能であって、前記回転は、前記回転蓋に形成された規制部材と、前記係止体の回転蓋に係合する側に設けられた突起部と、が係止されることによって規制されることを特徴とする。
【００１３】
本発明によれば、一方の面が圧力計本体に係止して設けられ、他方の面が回転蓋に係合して設けられる係止体によって、回転蓋と圧力計本体（圧力計本体に係止された係止体）との相対的位置関係を変化させることができることから、圧力計本体に対する周方向の回転が可能となり、視認に適した角度からの圧力表示の確認が容易となる。
【００１４】
本発明によれば、回転蓋に規制部材を形成して、回転角度を０度から３６０度未満の範囲内に規制することで、圧力計本体に対する回転を無制限にすることによる弊害を防止することができる。
【発明の効果】
【００１５】
以上説明したように、本発明は、被測定圧の圧力表示を視認可能な圧力計本体に対する首振りや回転を可能とすることにより、視認に適した角度からの圧力表示の確認が容易となるものである。
【発明を実施するための最良の形態】
【００１６】
以下、本発明の実施の形態について、図面を参照しつつ説明する。図１は、本発明の実施の形態に係る圧力計１の分解斜視図、図２は、本発明の実施の形態に係る圧力計１の模式図であって、（ａ）は正面図、（ｂ）は左（右）側面図、（ｃ）は背面図、図３は、図２（ａ）のＡ−Ａ断面図である。
【００１７】
圧力計１は、略円形の圧力計本体２が中空に形成されており、圧力計本体２に突出して一体形成された筒状の圧力導入口２１が設けられている。圧力計本体２の中空領域には、電池３を収容する収容室２２が形成され、圧力計本体２に螺子Ｐで螺接された基台５と蓋４とで電池３を収容室２２内に収容する。なお、電池３の電極３ａ，３ｂは、基台５の接続端子５ａ，５ｂとそれぞれ接触することで、電気的に接続される。また、電池３はＬ字型の爪２ｂによって挟持され、蓋４の爪４ａ，４ｂを収容室２２内の爪２ａ，２ｃに掛合させることによって、蓋４が圧力計本体２に取り付けられる。
【００１８】
筒状の圧力導入口２１には、筒状の圧力導入部６が挿入されることで、被測定圧が圧力導入部６から圧力計本体２に導入される。圧力導入部６は、圧力導入口２１に挿入される挿入部６１と、多角形状の一例である六角部６２と、被測定圧を導入する導入部６３と、で形成されており、挿入部６１の円周方向には凹状の溝６１ａ，６１ｂが形成されている。凹状の溝６１ａ，６１ｂにはＯリング７がそれぞれ嵌め込まれ、Ｏリング７が圧力導入口２１の内周面を摺動することによって、圧力導入口２１と一体形成された圧力計本体２に対して圧力導入部６が回転可能に構成されている。
【００１９】
また、挿入部６１は圧力導入口２１に比べて軸方向に長く形成されているため、圧力計本体２の中空領域に若干突出した構造となっている。この突出した挿入部６１の位置に規制部材６１ｃを形成し、圧力計本体２に規制部材６１ｃと当接する凸条を設けることによって、圧力導入部６を回転させたときに規制部材６１ｃが凸条によって係止されることから、圧力計本体２に対する回転を規制して、回転角度を０度から３６０度未満の範囲内に規制することができる。
【００２０】
係止体８は、円周方向に沿って略凸型を呈してなり、圧力計本体２に係止して設けられる溝８２と、回転蓋１１に係合して設けられる溝８３と、溝８２及び８３に突出した突出部８１と、から形成されている。溝８２の領域には、圧力計本体２に係止される爪８２ａが設けられている。また、溝８３の領域には、回転蓋１１の爪１１３ａに係合される爪８３ａが設けられており、回転蓋１１の回転角度が爪８３ａと爪１１ａとによって規制される。すなわち、図４に示すように、係止体８には爪（突起）８３ａが設けられ、回転蓋１１には爪（突起）１１３ａが設けられ、係止体８と回転蓋１１との勘合時には、爪８３ａ，爪８３ａの中で爪１１３ａが勘合する。この状態から、回転蓋１１を回転させて爪１１３ａを爪８３ａ，爪８３ａの中から外すことで、回転蓋１１は爪８３ａの両端を除く範囲内で回転が可能となる。
【００２１】
回転蓋１１は、表示窓１１１を有し、回転の際に人の指を当接させて回転をし易くする窪み１１２が円周面に複数形成されている。回転蓋１１１には、圧力測定表示の制御回路（ＩＣチップ）や表示結果を表示する液晶表示器１００を搭載した基板１０が取り付けられる。なお、取り付けの際には、液晶表示器１００が表示窓１１１から見えるようにする。基板１０には、被測定圧を取り込む取り込み口１０ａが設けられ、圧力導入部６から導入された被測定圧を取り込み口１０ａに取り込むケーブル等が接続される。また、基板１０には、接続コネクタ端子１０ｂが設けられ、基台５の接続端子５ａ，５ｂ等と電気的に接続するためのコネクタが接続される。なお、基板１０には、表面メンブレン用コネクタ１０ｃも設けられる。
【００２２】
このように、各種のコネクタやケーブル等が接続された基板１０を取り付けた回転蓋１１はＯリング９を介して係止体８に係合される。そのため、回転蓋１１の回転によって各種のコネクタやケーブル等が絡まったり、回転させ過ぎて各種のコネクタやケーブル等の長さが足りなくなって接続端子から抜けてしまう可能性があることから、回転を規制する規制部材が回転蓋１１に形成されており、回転蓋１１の回転角度を０度から３６０度未満の範囲内に規制することができる。
【産業上の利用可能性】
【００２３】
本発明に係る圧力計は、被測定圧の圧力表示を視認可能な圧力計本体に対する首振りや回転を可能とすることにより、視認に適した角度からの圧力表示の確認が容易となるものとして有用である。
【図面の簡単な説明】
【００２４】
【図１】本発明の実施の形態に係る圧力計の分解斜視図である。
【図２】本発明の実施の形態に係る圧力計の模式図である。
【図３】図２（ａ）のＡ−Ａ断面図である。
【図４】回転蓋の回転を規制する様子を示す図である。
【図５】従来の圧力計の模式図である。
【符号の説明】
【００２５】
１  圧力計
２  圧力計本体
６  圧力導入部
８  係止体
１０  基板
１１  回転蓋
２１  圧力導入口
【図１】
2015052620.tif 000003
【図２】
2015052620.tif 000004
【図３】
2015052620.tif 000005
【図４】
2015052620.tif 000006
【図５】
2015052620.tif 000007